(57)【特許請求の範囲】
【請求項１】
半硬化樹脂基材に穴を開けその穴に導体ペーストを埋め、
前記半硬化樹脂基材の上下面に銅箔を張り付けて、前記導体ペースト中の金属粒子と前記銅箔、前記導体ペースト中の金属粒子間とが接触するまで圧縮し、上下面の前記銅箔間を前記導体ペースト中の金属粒子を介して電気的に接続して導通部を形成するに際し、
加熱、圧縮して前記半硬化樹脂基材ならびに前記穴に充填された導体ペースト中の樹脂を硬化させて、硬化した前記半硬化樹脂基材ならびに前記導体ペースト中の樹脂の接着力によって、前記銅箔と前記導体ペースト中の金属粒子との接触状態、ならびに前記導体ペースト中の金属粒子の間の接触状態を保持して前記銅箔間の導通状態を保つとともに、前記圧縮後に、前記銅箔の間に電流を流して前記銅箔と前記導体ペースト中の金属粒子を溶着させるとともに、前記導体ペースト中の金属粒子の間を溶着させる
回路基板製造法。
【請求項２】
半硬化樹脂基材に穴を開けその穴に導体ペーストを埋め、
前記半硬化樹脂基材の上下面に銅箔を張り付けて、前記導体ペースト中の金属粒子と前記銅箔、前記導体ペースト中の金属粒子間とが接触するまで圧縮し、上下面の前記銅箔間を前記導体ペースト中の金属粒子を介して電気的に接続して導通部を形成するに際し、
加熱、圧縮して前記半硬化樹脂基材ならびに前記穴に充填された導体ペースト中の樹脂を硬化させて、硬化した前記半硬化樹脂基材ならびに前記導体ペースト中の樹脂の接着力によって、前記銅箔と前記導体ペースト中の金属粒子との接触状態、ならびに前記導体ペースト中の金属粒子の間の接触状態を保持して前記銅箔間の導通状態を保つとともに、前記圧縮後に、前記銅箔の間に超音波振動を加え、前記銅箔と前記導体ペースト中の金属粒子を溶着させるとともに、前記導体ペースト中の金属粒子の間を溶着させる
回路基板製造法。
【請求項３】
圧縮時、圧縮板と、溶接板とを共用し、圧縮完了後、電流を流して溶着することを特徴とする請求項１記載の回路基板製造法。
【請求項４】
圧縮時、圧縮板と、振動板とを共用し、圧縮完了後、超音波振動を加えて溶着することを特徴とする請求項２記載の回路基板製造法。
【発明の詳細な説明】
【０００１】
【産業上の利用分野】
本発明は電子機器の電気回路を構成する上で必要とする回路基板に関するものである。
【０００２】
【従来の技術】
近年電子機器は小型化、高機能化し使用される範囲も広く、対応すべき環境条件も多岐にわたり、安価で高品質な回路基板が要求されている。
【０００３】
従来の技術としては、図５以下に示しているように、金属どうしの接触を樹脂で固定、導通を保持する方式であった。
【０００４】
以下図面を参照しながら、上述した従来の回路基板製造の一例について説明する。
【０００５】
図５、６、７は、従来の回路基板の断面を示すものである。図５で、１ａは半硬化基材、２は銅箔、３は金属粒子、５は樹脂、７は圧縮板兼熱板である。図６は、加熱、圧縮が完了した基板断面図、図７は、導通部の拡大図で、８は銅箔２と金属粒子３の接点、９は金属粒子３と金属粒子３の接点を示す。
【０００６】
以上のように構成された回路基板製造法について、以下その動作について説明する。
【０００７】
まず、半硬化基材１ａに必要とする穴をあけ、その穴に金属粒子３と樹脂５を一定割合で混合した混合材を印刷法、または、ディスペンサーなどで充填する。つぎに、銅箔２を半硬化基材１ａの上下に設置し、圧縮板兼熱板７で加圧する。加熱、加圧により半硬化基材１ａは、圧縮され同時に充填されたペーストも圧縮される。この時、樹脂５は、加熱により流動性を増し、金属粒子３が互いに接触するところまで加圧されると金属粒子３の隙間にのみ残り他の樹脂５は、同じく加熱により軟らかくなっている半硬化基材１ａに吸収され、金属粒子３と銅箔２とも接触し上下の銅箔２が電気的に導通する。導通が生じた状態で、さらに、加熱を続けると半硬化基材１ａ、樹脂５は、硬化し、銅箔２と金属粒子３は隙間に残存する樹脂５の接着力で接触を保持され、同様に、金属粒子３間も樹脂５により接触状態を保持して導通状態を保つことができる。
【０００８】
【発明が解決しようとする課題】
しかしながら上記のような構成では、温度変化に対して比較的弱い樹脂による固定のため、回路基板として機器に搭載使用時に、周囲の環境変化により、樹脂基材１、樹脂５が膨張、収縮をし、銅箔２と金属粒子３の間、金属粒子３と金属粒子３の間で接触状態が破れ、断線するという問題点を有していた。
【０００９】
本発明は上記問題点に鑑み、銅箔２と金属粒子３、金属粒子３間の結合を、より強くし、貧質向上をはかる方法を提供するものである。
【００１０】
【課題を解決するための手段】
上記問題点を解決するために本発明の回路基板製造法は、半硬化樹脂基材に穴を開けその穴に導体ペーストを埋め、前記半硬化樹脂基材の上下面に銅箔を張り付けて、前記導体ペースト中の金属粒子と前記銅箔、前記導体ペースト中の金属粒子間とが接触するまで圧縮し、上下面の前記銅箔間を前記導体ペースト中の金属粒子を介して電気的に接続して導通部を形成するに際し、加熱、圧縮して前記半硬化樹脂基材ならびに前記穴に充填された導体ペースト中の樹脂を硬化させて、硬化した前記半硬化樹脂基材ならびに前記導体ペースト中の樹脂の接着力によって、前記銅箔と前記導体ペースト中の金属粒子との接触状態、ならびに前記導体ペースト中の金属粒子の間の接触状態を保持して前記銅箔間の導通状態を保つとともに、前記圧縮後に、前記銅箔の間に電流を流して前記銅箔と前記導体ペースト中の金属粒子を溶着させるとともに、前記導体ペースト中の金属粒子の間を溶着させることを特徴とする。
また、本発明の回路基板製造法は、半硬化樹脂基材に穴を開けその穴に導体ペーストを埋め、前記半硬化樹脂基材の上下面に銅箔を張り付けて、前記導体ペースト中の金属粒子と前記銅箔、前記導体ペースト中の金属粒子間とが接触するまで圧縮し、上下面の前記銅箔間を前記導体ペースト中の金属粒子を介して電気的に接続して導通部を形成するに際し、加熱、圧縮して前記半硬化樹脂基材ならびに前記穴に充填された導体ペースト中の樹脂を硬化させて、硬化した前記半硬化樹脂基材ならびに前記導体ペースト中の樹脂の接着力によって、前記銅箔と前記導体ペースト中の金属粒子との接触状態、ならびに前記導体ペースト中の金属粒子の間の接触状態を保持して前記銅箔間の導通状態を保つとともに、前記圧縮後に、前記銅箔の間に超音波振動を加え、前記銅箔と前記導体ペースト中の金属粒子を溶着させるとともに、前記導体ペースト中の金属粒子の間を溶着させることを特徴とする。
【００１１】
【作用】
本発明は上記構成によって単に樹脂の接着力で接触導通を保持するのではなく、金属間の溶着結合によるもので、その結合力は格段に強く充分な強度を得ることができる。
【００１２】
【実施例】
以下本発明の一実施例の回路基板製造法について、図面を参照しながら説明する。
【００１３】
図１は、本発明の第１の実施例における回路基板の完成後の断面を示すものである。
【００１４】
図１において、１は樹脂基板、２は銅箔、３は金属粒子である。図２は図１の部分拡大図で、４は溶着部、５は樹脂である。
【００１５】
図３、図４は溶着の断面図で、６はローラー、７は溶接板、または、振動板である。
【００１６】
以上のように本実施例によれば、途中までの工程は従来法とまったく同じである。図３において、ローラー６をかけるまでの工程は、従来例で述べたとおりである。従来例の図６まで仕上げた状態で、上下それぞれのローラー６は、電流を流せる構造を有し基板上の銅箔２に接触し、回転しながら矢示方向に移動できるように設置する。ローラー６が回転すると共に、上下それぞれのローラー６を＋と−の電極として電流を流すことにより、銅箔２、金属粒子３に電流が流れ電気的に短絡状態となり、銅箔２、金属粒子３の接触部が発熱し、溶着部４を形成する。互いに、溶着したときに電流をとめることにより溶着と、従来の樹脂５による接着力とで結合状態が維持できる。
【００１７】
図４は、基板を圧縮するときの圧縮板７が溶接板、振動板を兼ねるもので、いずれも、圧縮完了の時点で、電流を流すか、超音波振動を加える。電流を流して溶着するのは、ローラー６を用いるときと同じ原理で、順次溶着をするか、同時にするかの違いである。超音波振動を用いる方法は、振動により金属の接触部において摩擦熱を発生させ、その摩擦熱により金属表面を溶かし、互いに溶着させるものである。いずれの方法も必要な条件設定をしなければならないことは、言うまでもないことである。
【００１８】
以上のように、本実施例によれば、金属どうしの溶着と樹脂５の持つ接着力とを併用でき結合力の向上がはかれる。
【００１９】
【発明の効果】
以上のように本発明は、電流を制御、または、超音波振動を制御して発生させる装置を設けることにより、互いに溶着された強固な結合で信頼性の高い、銅箔２間の導通部を得ることができる。
【図面の簡単な説明】
【図１】本発明の一実施例における基板の断面図
【図２】本発明の一実施例における導通部の拡大断面図
【図３】ローラーにより電流を与えた基板の概略断面図
【図４】本発明の溶接板または、振動板による概略断面図
【図５】従来例の加工法により製造された基板の断面図
【図６】従来例の加工法により製造された圧縮後の基板の断面図
【図７】従来例の導通部の拡大断面図
【符号の説明】
【図１】
0003591854.tif 000002
【図２】
0003591854.tif 000003
【図３】
0003591854.tif 000004
【図４】
0003591854.tif 000005
【図５】
0003591854.tif 000006
【図６】
0003591854.tif 000007
【図７】
0003591854.tif 000008